(57)【要約】【課題】  組立性が向上し、組立が易くなるように改善した映像撮影装置およびその組立方法を提供する。【解決手段】  本発明の映像撮影装置は、デッキユニット、メイン基板および第１カメラユニットが互いに結合されたデッキ組立体と、デッキユニットに対応する開口を有し、デッキ組立体の一側に結合される第１外観組立体と、第１外観組立体の開口を開閉させるように、デッキユニットに結合されるデッキカバー組立体と、第２カメラユニットと第１ディスプレイユニットを有し、デッキ組立体の他側を被せるように結合される第２外観組体と、デッキ組立体の後方を被せるように、デッキ組立体に結合されるリア組立体と、デッキ組立体の前方を被せるように結合されるフロント組立体と、デッキ組立体の上部を被せるように結合され、第２ディスプレイユニットを有する上部組立体とを含む。【選択図】      図１ 
2005260950.tif 000002
【特許請求の範囲】
【請求項１】
デッキユニット、メイン基板および第１カメラユニットが互いに結合されたデッキ組立体と、
前記デッキユニットに対応する開口を有し、前記デッキ組立体の一側に結合される第１外観組立体と、
前記第１外観組立体の開口を開閉させるように、前記デッキユニットに結合されるデッキカバー組立体と、
第２カメラユニットと第１ディスプレイユニットを有し、前記デッキ組立体の他側を被せるように結合される第２外観組体と、
前記デッキ組立体の後方を被せるように、前記デッキ組立体に結合されるリア組立体と、
前記デッキ組立体の前方を被せるように結合されるフロント組立体と、
前記デッキ組立体の上部を被せるように結合され、第２ディスプレイユニットを有する上部組立体とを含むことを特徴とする映像撮影装置。
【請求項２】
前記デッキ組立体は、前記デッキユニットと前記メイン基板との間に配設され、前記デッキユニットおよびメイン基板の各々を支持するデッキハウジングを更に含むことを特徴とする請求項１に記載の映像撮影装置。
【請求項３】
前記デッキハウジングは、
前記デッキユニットを被せるメインフレームと、
前記デッキユニットを開閉させるように、前記メインフレームにヒンジ結合されるドアフレームとを含むことを特徴とする請求項２に記載の映像撮影装置。
【請求項４】
前記デッキカバー組立体は前記ドアフレームに結合されることを特徴とする請求項３に記載の映像撮影装置。
【請求項５】
前記デッキカバー組立体は、
前記ドアフレームに結合される金属材質の支持フレームと、
前記支持フレームと結合され、前記第１外観組立体の開口を被せるカバーケースと、
前記カバーケースに設けられ、前記デッキハウジングにロックおよび解除されるロック/解除ユニットとを含むことを特徴とする請求項４に記載の映像撮影装置。
【請求項６】
前記ドアケースにはメモリスティック装着部が備えられていることを特徴とする請求項５に記載の映像撮影装置。
【請求項７】
前記第１外観組立体は、
前記デッキ組立体および前記リア組立体の一側に相補的に結合される第１外観ケースと、
前記第１外観ケースに設けられ、前記第１カメラユニットの赤外線フィルタをオン/オフさせる赤外線フィルタ操作ユニットとを含むことを特徴とする請求項１に記載の映像撮影装置。
【請求項８】
前記第１外観ケースには、ズームノブ、フォトシャッター、モード選択スイッチおよびレコードボタンの少なくとも２つが更に設けられていることを特徴とする請求項７に記載の映像撮影装置。
【請求項９】
前記リア組立体は、
前記デッキ組立体に結合され、外側にはバッテリー装着部が備えられたリアケースと、
前記リアケースの内側に支持され、前記メイン基板に電気的に連結されるリア基板とを含むことを特徴とする請求項１に記載の映像撮影装置。
【請求項１０】
前記第２外観組立体は、
前記第１ディスプレイユニット装着部を有する第２外観ケースと、
前記第２外観ケースの内側に設けられ、前記デッキ組立体と結合時に、前記メイン基板と向き合うサブ基板とを更に含むことを特徴とする請求項１に記載の映像撮影装置。
【請求項１１】
前記サブ基板の一側に前記第２カメラユニットが支持され、前記第１外観組立体と前記デッキ組立体との結合時に、前記第１および第２カメラユニットが上下に配設されることを特徴とする請求項１０に記載の映像撮影装置。
【請求項１２】
前記サブ基板は前記メイン基板とほぼ平行に配されることを特徴とする請求項１０に記載の映像撮影装置。
【請求項１３】
前記サブ基板は前記第２カメラユニットおよび前記第１ディスプレイユニットと電気的に連結され、前記デッキ組立体との結合時に、前記メイン基板に電気的に連結されることを特徴とする請求項１０に記載の映像撮影装置。
【請求項１４】
前記第２外観ケースには、
前記サブ基板に電気的に連結されるスピーカーユニットと、
外部機器と連結するための複数の連結ポートと、
前記第１ディスプレイユニットに表示されるメニューを選択するための複数の機能キーとが設けられることを特徴とする請求項１０に記載の映像撮影装置。
【請求項１５】
前記フロント組立体は、
前記第１および第２カメラユニットの各々に対応して開放された第１および第２レンズフードを有するフロントケースと、
前記フロントケースの内側に支持され、リモコンセンサーと照光センサーを有するセンサーモジュールとを含むことを特徴とする請求項１に記載の映像撮影装置。
【請求項１６】
前記上部組立体は、
前記第１カメラユニットと前記デッキ組立体の上部を被せるように結合され、前記第２ディスプレイユニットを支持する上部ケースと、
前記上部ケースに支持されるマイクユニットとを更に含むことを特徴とする請求項１に記載の映像撮影装置。
【請求項１７】
前記上部組立体は、
前記上部ケースに外部へと出没可能に設けられるフラッシュユニットを更に含むことを特徴とする請求項１６に記載の映像撮影装置。
【請求項１８】
前記第１カメラユニットはデジタルビデオカメラモジュールであることを特徴とする請求項１乃至１７の何れか一項に記載の映像撮影装置。
【請求項１９】
前記第２カメラユニットはデジタルスチルカメラモジュールであることを特徴とする請求項１乃至１７の何れか一項に記載の映像撮影装置。
【請求項２０】
デッキユニット、メイン基板、および第１カメラユニットが互いに結合されたデッキ組立体と、前記デッキユニットに対応する開口を有し、前記デッキ組立体の一側を被せる第１外観組立体と、前記第１外観組立体の開口を開閉させるためのデッキカバー組立体と、第２カメラユニットと第１ディスプレイユニットを有し、前記デッキ組立体の他側を被せる第２外観組体と、前記デッキ組立体の後方を被せるリア組立体と、前記デッキ組立体の前方を被せるように結合されるフロント組立体と、前記デッキ組立体の上部を被せるように結合され、第２ディスプレイユニットを有する上部組立体とを含む映像撮影装置の組立方法において、
前記デッキ組立体、前記リア組立体、前記第１外観組立体、および前記デッキカバー組立体が互いに結合された第１モジュールを備える第１段階と、
前記第２外観組立体と前記上部組立体が互いに結合された第２モジュールを備える第２段階と、
前記第１および第２カメラユニットが上下に配されるように、前記第１モジュールと前記第２モジュールを組立てる第３段階と、
前記フロント組立体を互いに結合された前記第１モジュールおよび第２モジュールに結合する第４段階とを含むことを特徴とする映像撮影装置の組立方法。
【請求項２１】
前記第１段階は、
前記デッキ組立体に前記リア組立体を組立てる段階と、
前記リア組立体と前記デッキ組立体の一側に前記第１外観組立体を組立てる段階と、
前記第１外観組立体の組立後、前記デッキカバー組立体を前記デッキユニットに組立てる段階とを含むことを特徴とする請求項２０に記載の映像撮影装置の組立方法。
【請求項２２】
前記第２外観組立体は、前記第１ディスプレイユニットおよび第２カメラユニットとが電気的に連結するサブ基板を更に含み、前記第２段階は、前記サブ基板と前記メイン基板を電気的に連結する段階を更に含むことを特徴とする請求項２０に記載の映像撮影装置の組立方法。
【発明の詳細な説明】
【技術分野】
【０００１】
本発明は、動画および静画を含む映像を撮影して、記録および再生できる映像撮影装置に関する。
【背景技術】
【０００２】
一般的に、デジタルスチルカメラ(ＤＳＣ)は、レンズを通じて入射される映像をデジタル信号に変換しハードディスク又はメモリーカードのような記録媒体に記録する。すなわち、撮影の映像をフィルム等ではなく前記記録媒体に記録し、スキャナーなどを通じることなく直接コンピュータにデジタルイメージを入力できる。このようなデジタルスチルカメラは、パーソナルコンピューターとの互換性が高く、編集および修正が容易である。そして、撮った映像を外部コンピュータと接続することで転送できる。なお、デジタルスチルカメラは、一般のカメラのような構造なので、携帯し易い。
【０００３】
デジタルスチルカメラは、レンズ装置、メモリ装置、信号変調装置、およびディスプレイ装置などを備えてなる。ところが、このようなデジタルスチルカメラは、映像を記録する記録媒体の容量などのため、主に静画を撮影するのに使用される。すなわち、動画を撮影できるものが一部あるが、実質的には長時間撮影することは不可能である。特に、動画を撮影および再生する際、音響を共に記録および再生する装置が更に具備されていなければ、正常な動画を撮影できいと共に、実質的には動画を撮影して記録および再生するのに不適である。係る点を充足するために、テープのような記録媒体に撮影される被写体の画像および音響などを記録および再生する記録/再生装置、例えば、カムコーダが広く普及されている。
【０００４】
前記カムコーダは、レンズ装置、信号変換装置、撮影の映像を記録/再生するデッキ装置およびディスプレイ装置などを備える。このようなカムコーダは、主にカセットテープを記録媒体として採用し、そのカセットテープをデッキ装置に取付けて撮影の動画を記録する。また、カムコーダは、マイク装置とスピーカー装置を備え、取付けられたセットテープに１時間以上の動画を撮影することができる。このようなカムコーダも静画撮影の機能を持っているが、上述のデジタルスチルカメラの画質に比べて落ちるので、主に動画を撮影する。そして、カムコーダは、デジタルスチルカメラより機能が多く、かつ構成が複雑なので、相対的に体積が大きく、高価である。
【０００５】
ところが、上述のように、従来にはデジタルスチルカメラとカムコーダの各々の機能を活用するためには、両製品を購入しなければならなかったため消費者は経済的な負担を抱えざるを得なかった。さらに、製品購入後にも各々の特徴的な機能があるので、両製品を携帯しなければならない不具合があった。
【０００６】
したがって、最近、デジタルスチルカメラとカムコーダの機能、即ち、ビデオ映像を撮影する装置が一つの製品に採用されユーザが選択的に使用できる、例えば、デュアルカム(Ｄｕａｌ  Ｃａｍ)が開発されて販売されている。このようなデュアルカムの場合、両方の機能を一つの製品に適用するため、製品の体積が増加し、構造が複雑になるという問題点がある。よって、構造が簡単で、生産、組立、Ａ／Ｓなどが容易な映像撮影装置が求められている。
【発明の開示】
【発明が解決しようとする課題】
【０００７】
本発明は、前記問題点に鑑みてなされたもので、その目的は、組立性が向上し、組立が易くなるように改善した映像撮影装置およびその組立方法を提供することにある。
【課題を解決するための手段】
【０００８】
前記目的を達成するために、本発明の映像撮影装置は、デッキユニット、メイン基板および第１カメラユニットが互いに結合されたデッキ組立体と、前記デッキユニットに対応する開口を有し、前記デッキ組立体の一側に結合される第１外観組立体と、前記第１外観組立体の開口を開閉させるように、前記デッキユニットに結合されるデッキカバー組立体と、第２カメラユニットと第１ディスプレイユニットを有し、前記デッキ組立体の他側を被せるように結合される第２外観組体と、前記デッキ組立体の後方を被せるように、前記デッキ組立体に結合されるリア組立体と、前記デッキ組立体の前方を被せるように結合されるフロント組立体と、前記デッキ組立体の上部を被せるように結合され、第２ディスプレイユニットを有する上部組立体とを含むことを特徴とする。
【０００９】
ここで、前記デッキ組立体は、前記デッキユニットと前記メイン基板との間に設けられ、前記デッキユニットおよびメイン基板の各々を支持するデッキハウジングを更に含むことが好ましい。
【００１０】
また、前記デッキハウジングは、前記デッキユニットを被せるメインフレームと、前記デッキユニットを開閉させるように、前記メインフレームにヒンジ結合されるドアフレームとを含むことが好ましい。
【００１１】
また、前記デッキカバー組立体は前記ドアフレームに結合されることが好ましい。
【００１２】
また、前記デッキカバー組立体は、前記ドアフレームに結合される金属材質の支持フレームと、前記支持フレームと結合され、前記第１外観組立体の開口を被せるカバーケースと、前記カバーケースに設けられ、前記デッキハウジングにロックおよび解除されるロック/解除ユニットとを含むことが好ましい。
【００１３】
また、前記ドアケースにはメモリスティック装着部が備えられることが好ましい。
【００１４】
また、前記第１外観組立体は、前記デッキ組立体および前記リア組立体の一側に相補的に結合される第１外観ケースと、前記第１外観ケースに設けられ、前記第１カメラユニットの赤外線フィルタをオン/オフさせる赤外線フィルタ操作ユニットとを含むことが好ましい。
【００１５】
また、前記第１外観ケースには、ズームノブ、フォトシャッター、モード選択スイッチおよびレコーディングボタンの少なくとも２個以上が更に設けられることが好ましい。
【００１６】
また、前記リア組立体は、前記デッキ組立体に結合され、外側にはバッテリー装着部が具備されたリアケースと、前記リアケースの内側に支持され、前記メイン基板に電気的に連結されるリア基板とを含むことが好ましい。
【００１７】
また、前記第２外観組立体は、前記第１ディスプレイユニット装着部を有する第２外観ケースと、前記第２外観ケースの内側に設けられ、前記デッキ組立体の結合時、前記メイン基板と向き合うサブ基板とを更に含むことが好ましい。
【００１８】
また、前記サブ基板の一側に前記第２カメラユニットが支持され、前記第１外観組立体と前記デッキ組立体の結合時、前記第１および第２カメラユニットが上下に配置されることが好ましい。
【００１９】
また、前記サブ基板は前記メイン基板と略平行に配置されることが好ましい。また、前記サブ基板は前記第２カメラユニットと前記第１ディスプレイユニットと電気的に連結され、前記デッキ組立体との結合時、前記メイン基板に電気的に連結されることが好ましい。
【００２０】
また、前記第２外観ケースには、前記サブ基板に電気的に連結されるスピーカーユニットと、外部機器と連結するための複数の連結ポートと、前記第１ディスプレイユニットに表示されるメニューを選択するための複数の機能キーとが設けられることが好ましい。
【００２１】
また、前記フロント組立体は、前記第１および第２カメラユニットの各々に対応して開放される第１および第２レンズフードを有するフロントケースと、前記フロントケースの内側に支持され、リモコンセンサーと照光センサーを有するセンサーモジュールとを含むことが好ましい。
【００２２】
また、前記上部組立体は、前記第１カメラユニットと前記デッキ組立体の上部を被せるように結合され、前記第２ディスプレイユニットを支持する上部ケースと、前記上部ケースに支持されるマイクユニットとを更に含むことが好ましい。
【００２３】
また、前記上部組立体は、前記上部ケースに外部に出没可能に設けられるフラッシュユニットを更に含むことが好ましい。
【００２４】
また、前記第１カメラユニットはデジタルビデオカメラモジュールであることが好ましい。
【００２５】
また、前記第２カメラユニットはデジタルスチルカメラモジュールであることが好ましい。
【００２６】
前記目的を達成するための本発明の映像撮影装置の組立方法は、デッキユニット、メイン基板および第１カメラユニットが互いに結合されたデッキ組立体と、前記デッキユニットに対応する開口を有し、前記デッキ組立体の一側を被せる第１外観組立体と、前記第１外観組立体の開口を開閉させるためのデッキカバー組立体と、第２カメラユニットと第１ディスプレイユニットを有し、前記デッキ組立体の他側を被せる第２外観組体と、前記デッキ組立体の後方を被せるリア組立体と、前記デッキ組立体の前方を被せるように結合されるフロント組立体と、前記デッキ組立体の上部を被せるように結合され、第２ディスプレイユニットを有する上部組立体とを含む映像撮影装置の組立方法において、前記デッキ組立体、前記リア組立体、前記第１外観組立体および前記デッキカバー組立体が互いに結合された第１モジュールを備える第１段階と、前記第２外観組立体と前記上部組立体が互いに結合された第２モジュールを備える第２段階と、前記第１および第２カメラユニットが上下に配置されるように、前記第１モジュールと前記第２モジュールを組立てる第３段階と、前記フロント組立体を互いに結合された前記第１モジュールおよび第２モジュールに結合する第４段階を含むことを特徴とする。
【００２７】
ここで、前記第１段階は、前記デッキ組立体に前記リア組立体を組立てる段階と、前記リア組立体と前記デッキ組立体の一側に前記第１外観組立体を組立てる段階と、前記第１外観組立体の組立後、前記デッキカバー組立体を前記デッキユニットに組立てる段階とを含むことが好ましい。
【００２８】
また、前記第２外観組立体は、前記第１ディスプレイユニットおよび第２カメラユニットと電気的に連結するサブ基板を更に含み、前記第２段階は、前記サブ基板と前記メイン基板を電気的に連結する段階を更に含むことが好ましい。
【発明の効果】
【００２９】
本発明の映像撮影装置およびその組立方法によれば、各部品が組立てられた単位モジュールとして区分されてから、各単位のモジュールを順次に組立てることにより、その作業が容易である。
【００３０】
また、メイン基板と各種部品との間の電気的な連結を考慮し、各単位のモジュールを決まった順番に組立てることで、誤組立てを防止しながらも組立の生産性を向上させることができる。
【００３１】
また、製品が７種類の単位モジュールに区分されるので、Ａ／Ｓにおける故障を容易に修理し、部品の交替が容易になる。
【００３２】
また、ＤＶＣモジュール(第１モジュール)とＤＳＣモジュール(第２モジュール)といった大きい単位で組立てた後、各モジュールのテストを終ってから各モジュールが組立てられるため、不良率が低減し、生産性を高めることができる。
【発明を実施するための最良の形態】
【００３３】
以下、添付図面に基づき、本発明の実施形態に係る映像撮影装置を詳細に説明する。
【実施例１】
【００３４】
図１に示したように、本発明の実施例による映像撮影装置は、デッキ組立体１００と、リア組立体２００と、第１外観組立体３００と、デッキカバー組立体４００と、第２外観組立体５００と、上部組立体６００と、フロント組立体７００とを備える。
【００３５】
デッキ組立体１００は、デッキユニット１１０と、デッキハウジング１２０と、メイン基板１３０と、第１カメラユニット１４０とを備えている。
【００３６】
デッキユニット１１０は、磁気テープに映像を含んでいるデータを記録および再生させるためのものである。係るデッキユニット１１０は、磁気テープに情報を記録し、記録の情報を再生するヘッドドラムを持つ。このようなデッキユニット１１０は、メインデッキ上でサブデッキが移動しながら、テープカセットをヘッドドラムの方にロードおよびアンロードする構造を有する。このようなデッキユニット１１０は、公知の構成なので、その詳細な説明は省略する。
【００３７】
デッキハウジング１２０は、デッキユニット１１０を被せて支持するためのもので、デッキユニット１１０が固着されるメインフレーム１２１と、メインフレーム１２１の上にヒンジ結合されるドアフレーム１２３とを持つ。ドアフレーム１２３は、デッキユニット１１０にテープカセットを装着および分離する際、デッキユニット１１０の上部が開放されるよう、メインフレーム１２１に開閉可能に連結する。ドアフレーム１２３はデッキカバー組立体４００と結合される。図３および図４に示すように、デッキカバー組立体４００を開放すれば、ドアフレーム１２３が共に開放されながら、デッキユニット１１０が機器の外部に露出してテープカセットの装着および分離が可能になる。デッキハウジング１２０は、金属材質でプレス加工により製作することができる。
【００３８】
メイン基板１３０は、メインフレーム１２１を隔ててデッキユニット１１０と対応して設けられている。このメイン基板１３０は、デッキユニット１１０および第１カメラユニット１４０との互いに信号伝達が可能になるよう、コネクタやＦＰＣを通じて電気的に連結されている。勿論、メイン基板１３０には後述する多数の部品が直接又は信号ケーブルを通じて接続されている。
【００３９】
第１カメラユニット１４０は、主に動画を取得するためのデジタルビデオカメラであって、一般のカムコーダ等に広く採用される技術構成である。この第１カメラユニット１４０は、夜間にも赤外線撮影ができるようにカメラ鏡筒１４１の内部に赤外線フィルタが設けられる。そして、赤外線フィルタをオン/オフさせるためのフィルタレバー１４２がカメラ鏡筒１４１の外部に移動自在に設けられる。
【００４０】
リア組立体２００はデッキハウジング１２０にネジにより固定される。望ましくは、リア組立体２００は、撮影者の体の方に位置するよう、即ち、第１カメラユニット１４０の反対側に位置するよう、メインフレーム１２１に固定される。このリア組立体２００は、リアケース２１０と、リアケース２１０の内側に結合されるリア基板２２０とを備える。リアケース２１０の外側にはバッテリーが装着されるバッテリー装着部２１１が備えられる。リア基板２２０はメイン基板１３０と信号ケーブルにより電気的に接続されている。
【００４１】
第１外観組立体３００は、デッキ組立体１００の一側、即ち右側の一部を被せるように結合される。また、第1外観組立体３００は、デッキ組立体１００へ先に組立されるリア組立体２００の一側も覆うように結合される。この第１外観組立体３００は、モールド部材の第１外観ケース３１０と、第１外観ケース３１０に支持される赤外線フィルタ操作ユニット３２０とを備える。第１外観ケース３１０はデッキユニット１１０のドアフレーム１２３に対応して形成された開口３１１を有している。開口３１１はデッキカバー組立体４００により開閉される。赤外線フィルタ操作ユニット３２０は、第１外観ケース３１０に移動自在に設けられ、フィルタレバー１４２と連結され、そのフィルタレバー１４２を連動させる。また、第１外観ケース３１０には、被写体の焦点距離を調整するためのズームノブ３３０と、スチル映像を撮影するためのフォトシャッター３４０と、動画撮影と静画撮影を選択するためのモード選択スイッチ３５０と、レコードボタン３６０とが設けられる。ズームノブ３３０とフォトシャッター３４０は、一つのモジュールに一体化されて、第１外観ケース３１０の外部に露出するよう、第１外観ケース３１０の内側に設けられる。また、ズームノブ３３０、フォトシャッター３４０、モード選択スイッチ３５０およびレコードボタン３６０は、信号ケーブル(図示せず)により共に連結して、統合のターミナルを通じてメイン基板１３０に連結することができる。尚、ズームノブ３３０、フォトシャッター３４０、モード選択スイッチ３５０およびレコードボタン３６０の何れか一部を第１外観ケース３１０に設けることもでき、残りを他の組立体に設けることもできる。
【００４２】
デッキカバー組立体４００は、モールド部材のカバーケース４１０と、カバーケース４１０の内側に結合される支持フレーム４２０と、カバーケース４１０の内側に設けられるロック/解除ユニット４３０とを備えている。カバーケース４１０は、第１外観ケース３１０の開口３１１に対応する形状の側壁部４１１と、側壁部４１１の下部に曲げて延長された下側壁４１２とを有している。下側壁４１２はデッキユニット１１０の下側を被せる部位である。支持フレーム４２０は金属材質で形成され、デッキハウジング１２０のドアフレーム１２３にネジにより結合される。ロック/解除ユニット４３０は、下側壁４１２の外部に露出されスライディングされる解除ノブ４３１(図４参照)と、解除ノブ４３１と連結するようにスライディングされるフック部材４３３とを具備する。フック部材４３３は、図示されてないがスプリングにより一側に弾性加圧される。
【００４３】
また、カバーケース４１０にはメモリーカードのような記録媒体が装着される記録媒体装着部４１５(図５参照)が備えられる。装着部４１５に対応するカバーケース４１０の内側には記録媒体と連結する回路基板４４０が設けられている。このように構成されるデッキカバー組立体４００は、デッキ組立体１００に第１外観ケース３１０を組立てた状態で、図４に示すように、デッキハウジング１２０のドアフレーム１２３を開放し、その開放されたドアフレーム１２３にデッキカバー組立体４００を載置し、図５に示すように、支持フレーム４２０をネジにて締結して組立てる。
【００４４】
第２外観組立体５００は、第２外観ケース５１０と、第２外観ケース５１０の外側に結合される第１ディスプレイユニット５２０と、サブ基板３０と、第２カメラユニット５４０とを具備する。
【００４５】
第２外観ケース５１０は、デッキ組立体１００の左側、即ちメイン基板１３０の側面を被せるための外観である。図８に示すように、第２外観ケース５１０は、プラスチック材質からなるモールド部材であって、外側にディスプレイ装着部５１１を有する。装着部５１１は、内則に陥没した形状であって、第１ディスプレイユニット５２０が受容される。また、第２外観ケース５１０にはメニュー選択のためのロールスイッチ５１２が備えられる。そして、装着部５１１を内側で被せるホールカバー５５０には図示せぬスピーカーユニットと複数の機能キーが設けられる。その他、多様な機能キーが第２外観ケース５１０に備えられることができる。
【００４６】
第１ディスプレイユニット５２０はＬＣＤパネルであり、第２外観ケース５１０に２軸回転自在に設けられる。第１および第２カメラユニット１４０、５４０で撮影される映像や、記録媒体で再生される映像がディスプレイされる。この第１ディスプレイユニット５２０はサブ基板５３０にケーブルにより電気的に連結する。
【００４７】
サブ基板５３０は第２外観ケース５１０の内側に結合される。このサブ基板５３０は第１ディスプレイユニット５２０と第２カメラユニット５４０を電気的に連結する。また、第２外観組立体５００をデッキ組立体１００と結合する時、サブ基板５３０はメイン基板１３０とＦＰＣ５３１により連結される。このようなサブ基板５３０はメイン基板１３０と向き合うように配置されている。そして、上述したロールスイッチ５１２、スピーカーユニットおよび機能キーらはサブ基板５３０に電気的に連結される。
【００４８】
第２カメラユニット５４０は主に静画を撮影するのに使われるデジタルスチルカメラである。この第２カメラユニット５４０は、第１カメラユニット１４０よりは高画質の映像を撮影できるように、より高い画素数を持つＣＣＤを備えるのはいうまでもない。このような第２カメラユニット５４０はサブ基板５３０の端部に結合される。また、第２外観組立体５００とデッキ組立体１００が互いに組立される時、第２カメラユニット５４０は第１カメラユニット１４０の下に配置されるように、サブ基板５３０の下方に結合される。
【００４９】
上部組立体６００は、上部ケース６１０と、第２ディスプレイユニット６２０と、マイクユニット６３０と、フラッシュユニット６４０等とを備える。上部ケース６１０はデッキ組立体１００の上部を被せるためのもので、第２外観ケース５１０へ先に組立される。上部ケース６１０の一端には第２ディスプレイユニット６２０が結合される。第２ディスプレイユニット６２０はビューファインダユニットであることが好ましい。また、上部ケース６１０にはマイクユニット６３０とフラッシュユニット６４０が外部に露出するように結合されている。本実施例では、第１および第２カメラユニット１４０、５４０が前方に並んで配置されているので、効率よく空間を活用するために、マイクユニット６３０とフラッシュユニット６４０は製品の上部に位置するよう、上部ケース６１０に設けられることが好ましい。勿論、マイクユニット６３０とフラッシュユニット６４０の各々は、上述した第１外観組立体３００、第２外観組立体５００およびフロント組立体７００の何れかに設けられることができる。フラッシュユニット６４０は上部ケース６１０の外側に出没するよう設けられる。第２ディスプレイユニット６２０、マイクユニット６３０およびフラッシュユニット６４０はサブ基板５３０に電気的に連結する。
【００５０】
また、上部ケース６１０には第２カメラユニット５４０を使用するデジタルスチルカメラ機能を行うための各種機能ンキーモジュール６１１が設けられる。機能キーモジュール６１１もサブ基板５３０に電気的に連結する。
【００５１】
フロント組立体７００は、第１および第２カメラユニット１４０、５４０が配置された機器の前方を被せるためのものである。このようなフロント組立体７００は、フロントケース７１０と、フロントケース７１０の内側に設けられるセンサーモジュール７２０とを備える。フロントケース７１０には各カメラユニット１４０、５４０に対応して開放される第１および第２レンズフード７１１、７１２が備えられている。レンズフード７１１、７１２は上下に配置され、別途の部品で製作されてフロントケース７１０に組立ることができる。
【００５２】
センサーモジュール７２０は、基板上に設けられるリモートコントロールセンサー、メイン照光センサー、補助照光センサーおよび赤外線発光素子などを備える。このようなセンサーモジュール７２０はサブ基板５３０又はメイン基板１３０に電気的に連結される。
【００５３】
前記構成を有する本発明の実施例に係る映像撮影装置の組立方法につき詳説する。
【００５４】
まず、図１の分離された状態において、７個の組立体１００、２００、３００、４００、５００、６００、７００を各々先に組立てる。すなわち、このような組立体は互異なる組立工程により組立てられてから、再度集められ組立てられる。
【００５５】
まず、図２示すように、デッキ組立体１００にリア組立体２００を組立てる。デッキ組立体１００のデッキハウジング１２０にネジＳ１にてリア組立体２００を締結する。そして、リア組立体２００のリア基板２２０とメイン基板１３０をＦＰＣを利用して電気的に連結する。
【００５６】
続いて、図３に示すように、第１外観組立体３００をデッキ組立体１００とリア組立体２００にネジにより組立てる。このとき、第１外観組立体３００に具備された赤外線フィルタ操作ユニット３２０(図１参照)を赤外線フィルタ操作レバー１４２と連結させる。そして、第１外観組立体３００に具備された各種装置３３０、３４０、３５０、３６０をＦＰＣを利用してメイン基板１３０と電気的に連結させる。
【００５７】
こうすれば、第１外観ケース３１０の開口３１１を通じてデッキハウジング１２０が右側に露出される。露出した開口にデッキハウジング１２０のドアフレーム１２３を、図３に示すように開放させる。
【００５８】
ドアフレーム１２３が開放された状態で、デッキカバー組立体４００を、図４に示すように、ドアフレーム１２３に組立てる。具体的には、ドアフレーム１２３の締結部１２３ａ、１２３ｂに支持フレーム４２０の締結部４２１、４２２を対応させた状態で、各締結部をネジにて組立てる。デッキカバー組立体４００の組立が完了後、デッキカバー組立体４００を閉鎖すれば、４個の組立体１００、２００、３００、４００が結合された、いわゆる第１モジュール１０の組立が完了される。このような第１モジュール１０は所定のテスト過程をたどる。
【００５９】
次に、図６に示すように、第２外観組立体５００に上部組立体６００を組立てる。すなわち、第２外観ケース５１０に上部ケース６１０をネジにて組立てる。そして、上部組立体６００に具備されたマイクユニット６３０、フラッシュユニット６４０およびディスプレイユニット６２０などをサブ基板５３０にＦＰＣを利用して電気的に連結する。すると、いわゆる第２モジュール２０の組立が完了する。このように組立てられた第２モジュール２０も別途のテスト過程をたどる。
【００６０】
そして、前記のように組立てられて検査済みの第１および第２モジュール１０、２０を、図７に示すように、向き合う状態で組立てる。すなわち、メイン基板１３０とサブ基板５３０を回路ケーブルＣ１、Ｃ２で連結して電気的に連結させる。また、第２モジュール２０の他の回路ケーブル５３１もメイン基板１３０に連結する。そして、各基板１３０、５３０が平行に向き合うように接近させ、第１カメラユニット１４０の下部に第２カメラユニット５４０を位置させる。すると、図８に示すように、第１および第２モジュール１０、２０は互いに結合されて撮影装置の形態を有することになる。組立後、第１および第２外観ケース３１０、５１０と、上部ケース６１０と、リアケース２１０とを互いにネジにて締結させる。
【００６１】
また、第1 および第２モジュール１０、２０が組立てられた状態で、図８に示すように、機器の前方にフロント組立体７００を結合する。すると、図９に示すように映像撮影装置が組立てられ、最後に、フロント組立体７００を各外観ケース３１０、５１０および上部ケース６１０とネジにて締結すれば、製品の組立が完了する。
【産業上の利用可能性】
【００６２】
本発明の映像撮影装置は、カムコーダ、カメラを含む映像撮影装置に共に適用可能である。
【図面の簡単な説明】
【００６３】
【図１】本発明の実施形態に係る映像撮影装置を示す分離斜視図である。
【図２】図１示したデッキ組立体とリア組立体の組立状態を示す斜視図である。
【図３】図２の状態において、第１外観組立体を更に組立てた状態を示す斜視図である。
【図４】図３の状態において、デッキカバー組立体を組立てた状態を示す斜視図である。
【図５】図４の状態において、デッキカバー組立体を閉鎖した状態を示す斜視図である。
【図６】図１の第２外観組立体と上部組立体を組立てた状態を示す斜視図である。
【図７】図５の第１モジュールと図６の第２モジュールを組立てる方法を説明するための斜視図である。
【図８】図７において、第１および第２モジュールを組立てた状態を示す斜視図である。
【図９】図８の状態において、フロント組立体を組立てた状態を示す斜視図である。
【符号の説明】
【００６４】
１００  デッキ組立体
１１０  デッキユニット
１２０  デッキハウジング
１３０  メイン基板
１４０  第１カメラユニット
２００  リア組立体
２１０  リアケース
２２０  リア基板
２３０  バッテリー
３００  第１外観組立体
３１０  第１外観ケース
４００  デッキカバー組立体
４１０  カバーケース
５００  第２外観組立体
５１０  第２外観ケース
５２０  第１ディスプレイユニット
５３０  サブ基板
５４０  第２カメラユニット
６００  上部組立体
６１０  上部ケース
６２０  第２ディスプレイユニット
６３０  マイクユニット
６４０  フラッシュユニット
７００  フロント組立体
７１０  フロントケース
【図１】
2005260950.tif 000003
【図２】
2005260950.tif 000004
【図３】
2005260950.tif 000005
【図４】
2005260950.tif 000006
【図５】
2005260950.tif 000007
【図６】
2005260950.tif 000008
【図７】
2005260950.tif 000009
【図８】
2005260950.tif 000010
【図９】
2005260950.tif 000011